(57)【要約】      （修正有）【課題】スポーツ、レジャー分野で着用されるサンバイザーにおいて、水に浮くバイザーを提供する。【解決手段】バンド４の内側面４ａ及び外側面４ｂに独立気泡発砲体からなる緩衝部材５及び６を配設してバイザー１のクリップ２を構成した。独立気泡発砲体は、吸水性が極めて小さく、且つ、水に浮く性質を有することから、例えば、バイザー１を池に落してしまった場合であっても、各緩衝部材５、６の浮力によってバイザー１を水に浮かせることができる。【選択図】図１
0003141493.tif 000002
【実用新案登録請求の範囲】
【請求項１】
着用者の頭部に装着されるＣ字形状のクリップ部と、該クリップ部から着用者の前方へ向けて庇状に延びるセル部と、によって構成されるバイザーであって、
前記クリップ部の外側面及び／又は内側面に、独立気泡発砲体によって構成される緩衝部材を設けたことを特徴とするバイザー。
【請求項２】
前記緩衝部材が、独立気泡ポリエチレンフォームによって構成されることを特徴とする請求項１に記載のバイザー。
【請求項３】
前記緩衝部材を、さらに、前記セル部の外周縁部に設けたことを特徴とする請求項１又は２に記載のバイザー。
【考案の詳細な説明】
【技術分野】
【０００１】
本考案は、バイザーに関するもので、特に、スポーツ、レジャー分野で着用されるサンバイザーに関する。
【背景技術】
【０００２】
一般に、スポーツ、レジャー等の分野で着用されるバイザー（サンバイザー）は、着用者を直射日光から保護するセル部と、着用者の頭部に装着されるクリップ部と、によって構成される。このようなバイザーには、着用時の快適性を向上させることを目的とし、比較的硬質の合成樹脂からなるクリップ部の内側面に緩衝部材を取り付けたものがある（例えば、特許文献１参照）。しかしながら、従来技術のバイザーでは、緩衝部材としてスポンジ等の吸水性が高い材料が使用されていたことから、バイザーが、例えば、不意な強風によって飛ばされて池に落ちてしまった場合、セル部が水中に沈むのに加え、緩衝部材が吸水する。このため、バイザーが水中に沈んでバイザーを回収することができないおそれがある。仮に、バイザーを水中から回収することができたとしても、緩衝部材（例えば、スポンジ）は吸水してしまうと、緩衝性能が著しく低下してしまうため、着用者は、乾燥が完了するまでの間、バイザーの着用を控えるか、あるいは、不快感を我慢してバイザーを着用しなくてはならない。
【特許文献１】実開昭５５−８０３２６号公報
【考案の開示】
【考案が解決しようとする課題】
【０００３】
そこで本考案は、上記事情に鑑みてなされたもので、水に浮くバイザーを提供することを課題としてなされたものである。
【課題を解決するための手段】
【０００４】
上記課題を解決するために、本考案のバイザーは、着用者の頭部に装着されるＣ字形状のクリップ部と、該クリップ部から着用者の前方へ向けて庇状に延びるセル部と、によって構成されるバイザーであって、前記クリップ部の外側面及び／又は内側面に、独立気泡発砲体によって構成される緩衝部材を設けたことを特徴とする。
【考案の効果】
【０００５】
本考案のバイザーによれば、水に浮く性質を有する独立気泡発砲体を緩衝部材に採用することにより、例えば、バイザーを池に落してしまった場合であっても、緩衝部材の浮力によってバイザーが水中に沈むのを防ぐことができる。
【考案を実施するための最良の形態】
【０００６】
本考案の一実施形態を図１に基いて説明する。
本実施形態のバイザー１は、着用者の頭部に装着されるクリップ部２と、該クリップ部２から着用者の前方へ庇状に延びるセル部３と、によって構成される。クリップ部２は、例えば、ナイロン、ポリプロピレン等の弾性を有する合成樹脂によって構成されるバンド４を有し、該バンド４は、内側面４ａが着用者の頭部に沿う曲面に形成されると共に、平面視（図１における上からの視線）で略Ｃ字形状に形成される。また、バンド４は、クリップ部２の強度を確保するため、例えば、内側面４ａあるいは外側面４ｂに、周方向へ沿って延びるリブあるいはリブ溝を形成してもよい。
【０００７】
クリップ部２には、バンド４の内側面４ａ及び外側面４ｂに沿って、独立気泡発砲体によって構成される帯状の緩衝部材５及び６が設けられる。緩衝部材５は、バンド４の内側面４ａと該内側面４ａを被う裏地７との間に設けられ、裏地７の裏側に接着される。また、必要に応じて、緩衝部材６は、バンド４の外側面４ｂと該外側面４ｂを被う表地８との間に設けられ、表地８の裏側に接着される。なお、裏地７及び表地８には、着用者の皮膚が触れたときに快適性が高い素材、例えば、ナイロン素材等を使用することができる。また、裏地７と表地８とは、それぞれの上部が、同一素材の中継ぎ１０を介して縫い合わされる。さらに、表地８と中継ぎ１０との縫い合わせ部を、表地８と中継ぎ１０との相互間に埋設したことにより、バイザー１の着用時に、縫い合わせ部が外部から見えないように工夫されており、商品としての美観が高められている。
【０００８】
セル部３は、クリップ部２と比較して軟質な合成樹脂（例えば、ポリエチレン等）によって構成され、紫外線遮蔽率が高い素材を選択することが好ましい。また、セル部３は、曲面を形成する板状の部材であり、内周縁部３ａがクリップ部２のバンド４の下端部に沿うように形成される。そして、セル部３の内周縁部３ａに、クリップ部２の裏地７及び表地８の各下端部が縫い付けられる。これにより、セル部３は、クリップ部２と一体化される。なお、セル部３の外周縁部３ｂには、クリップ部２の裏地７及び表地８と同一素材のトリム部材９がその外周全体にわたって縫い付けられる。
【０００９】
次に、本実施形態の作用を説明する。
ここで、本実施形態のバイザー１は、セル部３がポリエチレン、バンド４がポリプロピレン、裏地７及び表地８がナイロンによって構成される。また、緩衝部材５、６として使用する独立気泡発砲体には、TOILON社が提供する厚さ2mmのＰＥフォーム（ポリエチレンフォーム）を採用した。さらに、本実施形態のバイザー１は、セル部３の重量が36ｇ、バンド４の重量が31ｇ、緩衝部材５、６の総重量が3.5ｇである。
【００１０】
バイザー１を着用する場合、着用者は、まず、両手でクリップ部２の両端部を外側へ引張ってクリップ部２を拡径させ、頭部をクリップ部２の内側に挿入させる。この状態で、着用者がクリップ部２から手を放すことにより、バンド４が自らの弾性力によって着用者の頭部を適正な締め付け力で締め付ける。このようにして、着用者は、バイザー１を着用することができる。そして、着用者は、額の前方に広がるセル部３によって、顔面が直射日光ならびに紫外線に晒されることを防ぐことができる。
【００１１】
そして、バイザー１が、例えば、不意な強風によって飛ばされて池に落ちてしまった場合、図２に示されるように、バイザー１は、セル部３が水中に沈むが、クリップ部２が各緩衝部材５、６の浮力によって水に浮くため、全体としてセル部３を下に向けた姿勢で水に浮くことになる。したがって、着用者は、クリップ部２の水面から出ている部分を掴むことにより、バイザー１を簡単に池から回収することができる。
【００１２】
この実施形態では以下の効果を奏する。
本実施形態によれば、バンド４の内側面４ａ及び外側面４ｂに独立気泡発砲体からなる緩衝部材５及び６を配設してバイザー１のクリップ２を構成した。したがって、独立気泡発砲体は、吸水性が極めて小さく、且つ、水に浮く性質を有することから、例えば、バイザー１を池に落してしまった場合であっても、各緩衝部材５、６の浮力によってバイザー１を水に浮かせることができ、水に浮くバイザー１を提供することができる。
また、本実施形態によれば、水に浮く緩衝部材５、６を採用した、すなわち、弾力性と水に浮く性質とを併せ持つ素材を緩衝部材５、６として採用したので、バイザー１を水に浮かせるための素材（浮き）を、従来の緩衝部材（スポンジ等）とは別個にバイザー１に取り付ける場合と比較すると、構造が簡易化されると共に、デザインの自由度も確保することができる。
また、緩衝部材５、６として使用されるＰＥフォーム（独立気泡発砲体）は、極めて軽量な素材であることから、バイザー１を軽量に構成することができる。また、ＰＥフォームは、吸水性（吸湿性）が極めて低い素材であることから、バイザー１の着用時に緩衝部材５、６が吸水することがなく、緩衝部材５、６が吸水（吸湿）することによる重量の増加に起因する快適性の低下を防ぐことができる。また、ＰＥフォーム（ポリエチレンフォーム）は、耐久性が高い素材であるため、バイザー１の耐久性を向上させることができる。さらに、ＰＥフォームは、成形性ならびに加工性が高く扱いが容易な素材であるため、バイザー１の製造上の問題もクリアすることができる。
【００１３】
なお、実施形態は上記に限定されるものではなく、例えば次のように構成してもよい。
本実施形態では、クリップ部２のバンド４の内側面４ａ及び外側面４ｂに緩衝部材５及び６をそれぞれ設けたが、バイザー１が水に浮くという条件を満たすことが可能であれば、バンド４の内側面４ａのみに緩衝部材５を設け、外側面４ｂには緩衝部材６を設けなくてもよい。
また、ＰＥフォーム（独立気泡発砲体）をトリム部材９で被うようにしてセル部３の外周縁部３ｂに沿って設けてもよい。これにより、バイザー１の浮力を向上させることができる。
本実施形態では、緩衝部材５、６に使用する独立気泡発砲体としてＰＥフォーム（ポリエチレンフォーム）を採用したが、諸条件、例えば、緩衝性能、水に浮く等の条件を満たしていれば、他の独立気泡発砲体を採用することができる。
本実施形態では、裏地７及び表地８に緩衝部材５及び６をそれぞれ接着したが、例えば、バンド４の内側面４ａ及び外側面４ｂに緩衝部材５及び６をそれぞれ接着してもよいし、あるいは、バンド４の内側面４ａと裏地７との間にＰＥフォーム（独立気泡発砲体）を接着することなく収容すると共に、バンド４の外側面４ｂと表地８との間にＰＥフォームを接着することなく収容してもよい。
【図面の簡単な説明】
【００１４】
【図１】本実施形態のバイザーの斜視図であって、一部を分解して示した図である。
【図２】本実施形態のバイザーが水に浮いた状態を示す説明図である。
【符号の説明】
【００１５】
１  バイザー、２  クリップ部、３  セル部、４  バンド、５、６  緩衝部材
【図１】
0003141493.tif 000003
【図２】
0003141493.tif 000004